(57)【要約】【課題】従来の車両においては、室内灯など室内用品の取付にルーフパネルを補強する補強用チャネルに直接ネジ止めするものと、前記補強用チャネルにに角穴を開け、フックで掛着するものがあり、市販品としての製造が煩雑化しコストアップの問題を生じていた。【解決手段】角穴１１ａとフックを使用して取付けられている室内部品に対して、機能向上のために代替品を取付けるときに、本発明による汎用室内部品取付用部材１を使用することで、角穴とフックを使用して取付けていた車種においてもネジ止めで取付可能として車室用品の取付方法による機種の多品種化を避け、生産者、使用者共に単純化を可能として課題を解決するものである。【選択図】図１
2007326393.tif 000002
【特許請求の範囲】
【請求項１】
車両のルーフパネルに取付けられたルーフメンバに角穴が設けられ、該角穴にフック状部材を掛着して天井部に室内部品を取付けて成る構成とされている車両の前記室内部品を取付けるときの室内部品取付用部材であり、前記室内部品取付用部材は前記角穴の一辺よりも適宜に長く他辺よりも適宜に短い辺を有する矩形の第一ブラケットと第２ブラケットの２枚が前記第一ブラケットに設けられたナットと第２ブラケットに設けられた貫通孔とによりネジを用いて前記第一ブラケットと第２ブラケットとの間に設けられた回転止めにより前記第一ブラケットと第２ブラケットとの間隔が自在に設定可能な構成とされ、前記第一ブラケットと第２ブラケットとに適宜な間隔を設けた状態で前記角穴に斜めに挿入することで、前記第一ブラケットを前記角穴の内側に位置させ、その後に前記ネジを増し締めして、前記第一ブラケットと第２ブラケットとで前記ルーフメンバに挟着固定し、この状態で前記第２ブラケットに設けられているネジ穴を利用しネジにより前記室内部品の取付けを可能とすることを特徴とする汎用型室内部品取付用部材。
【請求項２】
前記汎用型室内部品取付用部材には、車両メーカー別、車種別の室内用部品を取付けるべき位置を指定するホルダーが組合わされていることを特徴とする請求項１記載の汎用型室内部品取付用部材。
【発明の詳細な説明】
【技術分野】
【０００１】
本発明は、車両に室内灯、空気清浄機など室内部品を主に天井部分に取付けるときの取付用部材に関するものであり、詳細には、車両に取付けられていた室内灯に換えて、空気清浄機能を有する室内灯を取付ける、或いは、より明るい室内灯に取り替えて機能を向上させるなど性能向上を図るときに、車両メーカー毎に異なる室内灯などの取付方法に対応できるものとして、多数の車種への取付を可能とする取付用部材の構成の提供の目的に係るものである。
【背景技術】
【０００２】
従来のこの種の室内部品９０の取付方法を示すものが、図６および図７であり、まず、図６に示すものは、例えば、空気清浄機である室内部品９０を、車両のルーフパネル８０に取付けられているルーフメンバ８１に内装部材８２を介してネジ８３で直接に取付けてある。尚、このときに前記内装部材８２は軟質であり、ネジ８３は内装部材８２とほぼ同じ長さとされたスリーブ８４が被着されて、前記内装部材８２に変形を生じないようにすると共に、空気清浄機の取付板９１にも内装部材８２に食い込む突起９２を設け、ネジ８３が一層に強固に固定され、車両の走行による振動などで緩みを生じないようにしている。
【特許文献１】特開昭６１−０５４３１８号公報
【０００３】
また、図７に示すものは、ルーフパネル８０に対し、適宜な間隔を有して取付けた上記ルーフメンバである天井骨組７０のリブ状の部分の複数箇所に切欠き７０ａを設けておく（図３も参照）と共に、ランプハウジング６０の側には剛性部材で形成したフック６１と、バネ性部材で形成したフック６２を前記切欠き７０ａに対応した位置に取付けておく。そして、ランプハウジング６０をルーフパネル８０に圧接することで、バネ性部材で形成したフック６２が撓んで前記切欠き７０ａに掛着し、剛性部材で形成したフック６１とで室内部品は、ルーフパネル８０に取付が行われるものである。
【特許文献２】特開２００１−２６０７４７号公報
【発明の開示】
【発明が解決しようとする課題】
【０００４】
しかしながら、上記に説明した従来の取付方法において、図８に示した、フック６１、６２を採用したものでは、ネジ止めでは対応の方法がなく、また、前記ルーフメンバに穴開けをしてネジ止めで対応を図ろうとしても、ルーフパネルとの距離が近く、ルーフパネルに傷を付ける恐れが高く困難であり、よって、製造者側において対応品を生産せざるを得ないが、フック６１、６２を用いて室内部品９０を取付ける方式の車種は一部であり、多品種、少量生産となってコストアップの問題を生じたり、或いは、需要予測に狂いを生じて、商品の市場供給が順調に行われないという問題点を生じている。
【課題を解決するための手段】
【０００５】
本発明は、上記した従来の課題を解決するための具体的手段として、車両のルーフパネルに取付けられたルーフメンバに角穴が設けられ、該角穴にフック状部材を掛着して天井部に室内部品を取付けて成る構成とされている車両の前記室内部品を交換するときの室内部品取付用部材であり、前記室内部品取付用部材は前記角穴の一辺より適宜に長く他辺よりも適宜に短い辺を有する矩形の第一ブラケットと第２ブラケットの２枚が前記第一ブラケットに設けられたナットと第２ブラケットに設けられた貫通孔とによりネジを用いて前記第一ブラケットと第２ブラケットとの間に設けられた回転止めにより前記第一ブラケットと第２ブラケットとの間隔が自在に設定可能な構成とされ、前記第一ブラケットと第２ブラケットとに適宜な間隔を設けた状態で前記角穴に斜めに挿入することで、前記第一ブラケットを前記角穴の内側に位置させ、その後に前記ネジを増し締めして、前記第一ブラケットと第２ブラケットとで前記ルーフメンバに挟着固定し、この状態で前記第２ブラケットに設けられているネジ穴を利用しネジにより前記室内部品の取付けを可能とすることを特徴とする汎用型室内部品取付用部材を提供することで課題を解決するものである。
【発明の効果】
【０００６】
本発明により、フックを掛着する構成とした角穴を、第１ブラケットと第２ブラケットを用いて閉止することで、ネジ止めで室内部品が取付けられるようにして、全車種に使用可能とし、格段に少ない品種で対応可能とし、コストダウンに極めて優れた効果を奏することができるものとする。
【発明を実施するための最良の形態】
【０００７】
つぎに、本発明を図に示す実施例に基づいて詳細に説明する。図１に符号１で示すものは本発明に係る汎用型室内部品取付用部材１（以下、室内部品取付用部材１と略称する。）であり、この室内部品取付用部材１は、従来例でも説明したように、ルーフパネル１０に設けられるルーフメンバ１１に角穴１１ａが設けられ、この角穴１１ａにフックを掛着することで、例えば室内灯などが取付けられるように構成されているものもネジ止めで対応するべく開発されたものである。
【０００８】
ここで、本発明の室内部品取付用部材１は、第１ブラケット２と、第２ブラケット３と、ブラケット締結ネジ４との３個の部品で構成されている。そして、前記第１ブラケット２のほぼ中心の位置には、前記ブラケット締結ネジ４を貫通させるための開口２ａが設けられている。
【０００９】
また、他方の第２ブラケット３には、ほぼ中心に前記ブラケット締結ネジ４と螺合するナット部３ａが設けられていて、前記第１ブラケット２と螺着が可能な構成とされている。このときに、第２ブラケット３のナット部３ａと前記ブラケット締結ネジ４とを螺合した状態で、前記ブラケット締結ネジ４を回転させると、第２ブラケット３も共に回転してしまう恐れが高い。
【００１０】
よって、本発明では、前記第１ブラケット２の側面から前記第２ブラケット３の方向に向って板状の回転止め２ｂが設けられ、第２ブラケット３の側には、前記回転止め２ｂに対応する側面に切欠部３ｂが設けられて嵌合され、前記締結ネジ４を回動させたときにも第２ブラケット３が締結ネジ４により回転をすることを防止している。よって、第１ブラケット２と第２ブラケット３とは、前記締結ネジ４を回動させることで、双方の間隔（図２（Ａ）におけるｄ）が変化するものとなっている。
【００１１】
また、前記第１ブラケット２の開口２ａの両側に設けられているものは、取付ガイド穴２ｃであり、以後に説明する手順で前記ルーフメンバ１１の角穴１１ａに前記室内部品取付用部材１を取付けた後に、例えば空気清浄機、室内灯など室内用部品を取付けるときの取付穴２ｃである。尚、前記第１ブラケット２に設けられる取付穴２ｃは、前記第２ブラケット３側の対応する位置にも形成されて第２取付穴とされていても良いものである。
【００１２】
図２は、前記室内部品取付用部材１をルーフメンバ１１に設けられている角穴１１ａに取付けるときの手順を示すものであり、まず、図２（Ａ）に示すように、第１ブラケット２側から第２ブラケット３のナット部３ａに締結ネジ４を螺合し、両者を一体化する。このときには、第１ブラケット２と第２ブラケット３との間に、後に行う手順に適する適宜の間隙を設けておく。
【００１３】
ここで、上記にも記載したように、前記室内部品取付用部材１の一方の辺の長さＬ１は、前記角穴１１ａの同じ方向への辺の長さＬ２よりも長く形成されている。よって、図２（Ｂ）にも示すように、角穴１１ａに斜め方向から、第１ブラケット２と第２ブラケット３とでルーフメンバ１１を挟むように前記第２ブラケット３の一端を挿入し、前記ルーフメンバ１１と平行水平となるように室内部品取付用部材１を回転させれば、前記第２ブラケット３の全体は前記角穴１１ａ内に挿入されるものとなる。
【００１４】
この状態で、前記室内部品取付用部材１を前記第１ブラケット２と第２ブラケット３とが両端側でルーフメンバ１１を挟む位置に移動し、そして、この状態を保ち、前記締結ネジ４の増締めを行えば、前記室内部品取付用部材１は角穴１１ａ、即ち、ルーフメンバ１１に図２（Ｃ）に示すように確実に固定が行われるものとなる。
【００１５】
よって、上記のようにして例えば、２箇所或いは４箇所など、必要箇所のルーフメンバ１１の角穴１１ａに、第１ブラケット１と第２ブラケット２とによる室内部品取付用部材１の取付けが行われた後には、図２（Ｃ）にも示すように取付穴２ｃの部分に通常のネジ止め手段で室内部品１２の取付が行えるものとなり、当初に取付けられていた室内部品の取付方法がフック式であっても、本発明の室内部品取付用部材１を用意しておくことで取付が可能となる。
【００１６】
よって、市販品業者としては、例えば、フック取付のＡ社用、ネジ取付のＢ社用など同一製品で取付手段のみが異なるものを生産する必要がなく、生産工程、部品管理などの簡素化が図れコストダウンが可能となる。
【００１７】
尚、従来例で示したように、ルーフメンバ１１がルーフパネル１０に対して突出した側で取付けられ、水平方向に突出するフランジに切欠１１ｂが設けられたものに対しても使用可能であることは云うまでもなく、この場合には、図３に示すように、切欠１１ｂの側方から適宜な間隔を設定した第１ブラケット１と第２ブラケット２を挿入し、締結ネジ４の増締めを行い固定をすればよい。更には、前記角穴１１ａ、若しくは、切欠き１１ｂの長さが短い場合には、図４に示すように第１ブラケット１と第２ブラケット２の片側サイドのみで固定を行っても良いものである。
【００１８】
図５に示すものは、上記第一ブラケット２および第２ブラケット３で構成される室内部品取付用部材１の取付位置を正確に指示可能とすると共に、例えば、Ａ社のＢ車種、Ｃ社のＤ車種など、複数が存在する車室用品１２の取付可能車種に対して上記室内部品取付用部材１をどの位置に取付けるかを指示するホルダー５であり、このホルダー５には図示は省略するが上記したように対応車種毎の室内部品取付用部材１の取付位置は文字などで指示してあり、この指示に従うことで、正確な取付が容易に行われるものとされている。
【図面の簡単な説明】
【００１９】
【図１】本発明に係る汎用型室内部品取付用部材の実施例を示す斜視図である。
【図２】同じく汎用型室内部品取付用部材の車体への取付手順を示す説明図である。
【図３】同じく汎用型室内部品取付用部材の車体への別の取付方法を示す説明図である。
【図４】同じく汎用型室内部品取付用部材の車体への更に別の取付方法を示す説明図である。
【図５】本発明に係る汎用型室内部品取付用部材の一部であるホルダーを示す平面図である。
【図６】従来例を示す説明図である。
【図７】別の従来例を示す説明図である。
【符号の説明】
【００２０】
１…汎用室内部品取付用部材
２…第１ブラケット
２ａ…開口
２ｂ…回転止め
２ｃ…取付穴
３…第２ブラケット
３ａ…ナット部
３ｂ…切欠部
３ｃ…第２取付穴
４…締結ネジ
５…ホルダー
６…ＬＥＤ
１０…ルーフパネル
１１…ルーフメンバ
１１ａ…角穴
１２…室内部品
【図１】
2007326393.tif 000003
【図２】
2007326393.tif 000004
【図３】
2007326393.tif 000005
【図４】
2007326393.tif 000006
【図５】
2007326393.tif 000007
【図６】
2007326393.tif 000008
【図７】
2007326393.tif 000009